(57)【要約】【課題】  吊り下げ支持部材に吊り下げられる包装用箱において、簡単な構造で、上蓋部の周囲に隙間が確実に生じないようにして、見栄えがよく箱本体に異物が侵入するのを防ぐ。【解決手段】  包装用箱は、箱本体１と吊り下げ支持体２とを有する。箱本体１は、前壁面部11と後壁面部13と上蓋部16とを有し、上蓋部16が前壁面部11に連設されている。吊り下げ支持体２は、後壁面部13に連設された吊り下げ部20と折り曲げ部22を介して連設された折り返し部21とからなり、折り返し部21の先端が箱本体に差し込まれる差込部23を構成し、差込部23を切り欠くことによって押え部24が形成されている。上蓋部16に延長片25が連設され、折り返し部21の先端の差込部23が箱本体１に差し込まれるとともに延長片25が上蓋部16に対して折り曲げられて吊り下げ部20と折り返し部21との間に挟まれた状態で、折り返し部21の押え部24が延長片25の基部を押えるよう構成した。【選択図】      図４
0003116102.tif 000002
【実用新案登録請求の範囲】
【請求項１】
被包装物を収容する箱本体と、吊り下げ支持部材に吊り下げられる吊り下げ支持体と、を有しており、前記箱本体は、少なくとも前壁面部と後壁面部と上蓋部とを有し、前記上蓋部が前壁面部に連設されるとともに、前記吊り下げ支持体が前記後壁面部に連設されてなる包装用箱であって、
前記吊り下げ支持体が、前記後壁面部に連設された吊り下げ部と、該吊り下げ部に折り曲げ部を介して連設された折り返し部とからなり、前記吊り下げ支持体の折り返し部の先端が箱本体に差し込まれる差込部を構成しており、該差込部を切り欠くことによって押え部が形成されており、前記上蓋部に延長片が連設されており、
折り返し部の差込部が箱本体に差し込まれるとともに、延長片が上蓋部から折り曲げられて吊り下げ支持体の吊り下げ部と折り返し部との間に挟まれた状態で、折り返し部の押え部が延長片の基部を押えるよう構成したことを特徴とする包装用箱。
【請求項２】
前記吊り下げ支持体に形成された吊り下げ支持部材に吊り下げられる係合部と対応して、前記延長片に係合部を形成したことを特徴とする請求項１に記載の包装用箱。
【請求項３】
前記延長片に連設された背面部と、前記吊り下げ支持体の少なくとも吊り下げ部に穿設されて前記背面部を通す通し部と、をさらに備え、
前記吊り下げ支持体および前記延長片に形成された吊り下げ支持部材に吊り下げられる係合部と対応して、前記背面部に係合部を形成したことを特徴とする請求項２に記載の包装用箱。
【請求項４】
前記背面部を吊り下げ部の背面に接着したことを特徴とする請求項３に記載の包装用箱。
【請求項５】
前記上蓋部と前壁面部とを切り離し可能としたことを特徴とする請求項１に記載の包装用箱。
【請求項６】
前記上蓋部と前壁面部とを切り離し可能としたことを特徴とする請求項２に記載の包装用箱。
【請求項７】
前記上蓋部と前壁面部とを切り離し可能としたことを特徴とする請求項３に記載の包装用箱。
【請求項８】
前記上蓋部と前壁面部とを切り離し可能としたことを特徴とする請求項４に記載の包装用箱。
【請求項９】
前記前壁面部の上方に、押圧することにより切り離されて指を差し込み前記上蓋部と前壁面部との切り離しを可能とするための切り込み線を形成したことを特徴とする請求項５〜８のいずれかに記載の包装用箱。
【考案の詳細な説明】
【技術分野】
【０００１】
本考案は、包装用箱に関し、特に、被包装物を収容する箱本体と、吊り下げ支持部材に吊り下げられる吊り下げ支持体と、を有しており、前記箱本体は、少なくとも前壁面部と後壁面部と上蓋部とを有し、前記上蓋部が前壁面部に連設されるとともに、前記吊り下げ支持体が前記後壁面部に連設されてなる包装用箱に関するものである。
【背景技術】
【０００２】
包装用箱においては、被包装物が収容された箱本体を店頭などに陳列することができるようにするために、ハンガーロッドなどの吊り下げ支持部材に吊り下げられる吊り下げ支持体を箱本体に設けたものが従来から存在している。このような包装用箱は、一般に、箱本体の上蓋部が前壁面部に連設されるとともに、吊り下げ支持体が箱本体の後壁面部に連設されている。このような構成の包装用箱の従来の技術としては、例えば特許文献１や特許文献２、特許文献３などが知られている。
【０００３】
特許文献１は、比較的に重い商品を収容しても、商品陳列箱が変形し商品収容部（箱本体）の蓋部と吊下部の下端との間に隙間が空くという欠点が生じない吊下用の商品陳列箱を提供することを目的としたもので、商品収容部及び吊下部を備えた吊下用商品陳列箱において、前記商品収容部はその上部に蓋部を備えており、前記蓋部は、蓋部固定用の固定辺を備えており、前記吊下部は、前記固定辺を差込むための固定辺差込用穴部を備えており、前記固定辺は、その裏側に面ファスナ−の雄部材又は雌部材のいずれか一方を備えており、また、これに対応して、前記商品収容部は、その裏側に面ファスナ−の雄部材又は雌部材の他方を備えていることを特徴とする商品陳列箱が開示されている。
【０００４】
このように構成された特許文献１の商品陳列箱では、蓋部の固定辺を吊下部の固定辺差込用穴部に差し込んで、面ファスナーによって商品収容部の裏面に固定辺を接着し、蓋部と吊下部の下端とが離れないようにする。
【０００５】
一方、特許文献２は、吊り下げ可能であって異物の進入を抑え、再封可能な包装用箱を提供することを目的としたもので、一枚のブランクシートから一体的に打ち抜かれた箱体形成片から成り、この箱体形成片に、平行に連接された側面と、この側面端部に形成された蓋片と、他の側面の上記蓋片側端部に形成され上記蓋片の外側面に糊付けされる外蓋片と、この外蓋片の一部をこの外蓋片から切り起こして形成される吊下げ片が設けられていることを特徴とし、さらにこの特徴に加えて、上記蓋片の先端部には差込片が折罫線で区切られて設けられ、上記上蓋片と上記上蓋片が設けられた側面とを切断してこの包装用箱を開封した後、上記差込片をこの側面内側に差し込むことにより再封可能としたことを特徴とする包装用箱が開示されている。
【０００６】
また、特許文献２には、一枚のブランクシートから一体的に打ち抜かれた箱体形成片から成り、この箱体形成片に、平行に連接された側面と、この側面端部に形成された蓋片と、この側面の一部をこの側面端部の折罫線に向かう所定形状で切り離して形成される吊下げ片が設けられ、この吊下げ片は上記蓋片上方に向けて折り曲げられることを特徴とし、さらにこの特徴に加えて、互いに平行に連接された上記側面の側縁部に、上記吊下げ片が設けられた上記側面の内側に重ねて位置した内側面が連接して設けられていることを特徴とする包装用箱が開示されている。そして、特許文献２には、このさらなる特徴の場合においても、特許文献２における上述した特徴と同様に、側面に折罫線で区切られた外上蓋片が蓋片の外側面に糊付けされることが記載されている（段落番号００３４および段落番号００３６）。
【０００７】
このように構成された特許文献２の包装用箱では、側面とこれに差し込まれる蓋片の差込片との間の差込部を外上蓋片により閉じるために異物の進入がないなどと記載されている。また特許文献２の包装用箱では、包装用箱を開封するときに、蓋片の差込片が設けられている自由端側に位置する外上蓋片の切込線を切ることが記載されている。
【０００８】
特許文献３には、被包装物を収容する箱本体と、箱本体の一壁面上辺に沿って設けられた差込片を有する上蓋と、を有する包装用箱であって、前記上蓋に、把持可能で吊り下げ支持部材に係合される係合手段を有するつまみ片を連設したことなどを特徴とする包装用箱が開示されている。
そして、特許文献３には、箱本体の後壁面に吊り下げ基板が設けられており、つまみ片を比較的長く吊り下げ基板と重合されるように二つ折りで形成し、吊り下げ基板とつまみ片に透孔を一致させて穿設することなどが記載されている（段落００２５）。また、特許文献３には、後壁面の上方向には、吊り下げ部とこの吊り下げ部に対して折り曲げられる吊り下げ部とにより吊り下げ基板が構成されることや、両吊り下げ部の間に凹部を形成するための開口が穿設されていることなども記載されている（段落００２６）。さらに、特許文献３には、折り曲げられる吊り下げ部の中央に切り欠きが形成されていることも記載されている（段落００２７）。
【０００９】
【特許文献１】登録実用新案第３０７００８１号公報
【特許文献２】特開２００１−８８８２５号公報
【特許文献３】特開２００５−１５０２７号公報
【考案の開示】
【考案が解決しようとする課題】
【００１０】
しかしながら、上述したように、上蓋が箱本体の前壁面から連続して形成されると共に、吊り下げ基板が箱本体の後壁面から上方に連続して形成された従来の一般的な包装用箱にあっては、上蓋の先端に設けられた差込辺が吊り下げ基板から箱本体の後壁面に沿って差込配置される。そのため、比較的重い被包装物を収容して吊り下げた場合など、上蓋の先端に設けられた差込辺と吊り下げ基板に連設された箱本体の後壁面との間に隙間が生じ、異物が入り込むなどの問題があった。
【００１１】
また、上述した特許文献１に開示された商品陳列箱にあっては、固定辺と商品収容部の対応する位置に面ファスナーを設ける必要があり、コストがかかるという問題があった。そして、特許文献１にあっては、固定辺差込用穴部に固定辺を差込む必要がある。この固定辺差込用穴部は、特許文献１においては比較的小さいために固定辺を差込むのが困難であり、この対策として、固定辺を容易に差込むことができるよう固定辺差込用穴部を大きくすると、吊下部の強度が弱くなるという問題が生じることとなる。
【００１２】
さらに、上述した特許文献２に開示された包装用箱にあっては、蓋片の外側面に糊付けするための外上蓋片を蓋片と同等の大きさに形成する必要があり、しかも、糊を塗布する面積が大きいことから、素材に無駄が生じると共に、製作工程が多くなり、手間とコストがかかるなどの問題があった。
【００１３】
そして、上述した特許文献１および２にあっては、いずれのものも、吊り下げ支持部材などに係合される係合部が形成された吊り下げ部は単一枚で構成されているために、箱本体に収容された被包装物が比較的重いと、吊り下げ部が破れて係合部が拡大したり、吊り下げ部から箱本体が破断して落下するなどの問題があった。
【００１４】
また、上記特許文献３にあっては、上蓋を容易に開けることができる包装用箱を提供することを目的としたものであり、上蓋に連設されたのは把持可能なつまみ片であった。そして、特許文献３では、つまみ片を単に吊り下げ基板の表面に沿って重合するものであった（特許文献３の図１２を参照）。さらに、特許文献３では、折り曲げられる吊り下げ部の中央に形成された切り欠きは、二つ折りされたときに切離し部と対応する位置に設けられるものであり、つまみ片と上蓋との境界の幅、すなわちつまみ片の基端部の幅よりも狭く、つまみ片を押さえるものではなかった。
【００１５】
本考案は、上述した問題に鑑みてなされたもので、吊り下げ支持部材に吊り下げられる包装用箱において、簡単な構造で、上蓋部の周囲に隙間が確実に生じないようにして、見栄えがよく、箱本体に異物が侵入するのを防ぐことができる包装用箱を提供することを目的とする。また、本考案は、上述した問題に鑑みてなされたもので、簡単な構造で、吊り下げ支持部材に吊り下げられる丈夫な包装用箱を提供することを目的とする。さらに、本考案は、容易に開封することができる包装用箱を提供することを目的とする。
【課題を解決するための手段】
【００１６】
請求項１に係る考案は、上記目的を達成するため、被包装物を収容する箱本体と、吊り下げ支持部材に吊り下げられる吊り下げ支持体と、を有しており、前記箱本体は、少なくとも前壁面部と後壁面部と上蓋部とを有し、前記上蓋部が前壁面部に連設されるとともに、前記吊り下げ支持体が前記後壁面部に連設されてなる包装用箱であって、前記吊り下げ支持体が、前記後壁面部に連設された吊り下げ部と、該吊り下げ部に折り曲げ部を介して連設された折り返し部とからなり、前記吊り下げ支持体の折り返し部の先端が箱本体に差し込まれる差込部を構成しており、該差込部を切り欠くことによって押え部が形成されており、前記上蓋部に延長片が連設されており、折り返し部の差込部が箱本体に差し込まれるとともに、延長片が上蓋部から折り曲げられて吊り下げ支持体の吊り下げ部と折り返し部との間に挟まれた状態で、折り返し部の押え部が延長片の基部を押えるよう構成したことを特徴とするものである。
請求項２に係る考案は、上記目的を達成するため、請求項１に記載の考案において、前記吊り下げ支持体に形成された吊り下げ支持部材に吊り下げられる係合部と対応して、前記延長片に係合部を形成したことを特徴とするものである。
請求項３に係る考案は、上記目的を達成するため、請求項２に記載の考案において、前記延長片に連設された背面部と、前記吊り下げ支持体の少なくとも吊り下げ部に穿設されて前記背面部を通す通し部と、をさらに備え、前記吊り下げ支持体および前記延長片に形成された吊り下げ支持部材に吊り下げられる係合部と対応して、前記背面部に係合部を形成したことを特徴とするものである。
請求項４に係る考案は、上記目的を達成するため、請求項３に記載の考案において、前記背面部を吊り下げ部の背面に接着したことを特徴とするものである。
請求項５に係る考案は、上記目的を達成するため、請求項１に記載の考案において、前記上蓋部と前壁面部とを切り離し可能としたことを特徴とするものである。
請求項６に係る考案は、上記目的を達成するため、請求項２に記載の考案において、前記上蓋部と前壁面部とを切り離し可能としたことを特徴とするものである。
請求項７に係る考案は、上記目的を達成するため、請求項３に記載の考案において、前記上蓋部と前壁面部とを切り離し可能としたことを特徴とするものである。
請求項８に係る考案は、上記目的を達成するため、請求項４に記載の考案において、前記上蓋部と前壁面部とを切り離し可能としたことを特徴とするものである。
請求項９に係る考案は、上記目的を達成するため、請求項５〜８のいずれかに記載の考案において、前記前壁面部の上方に、押圧することにより切り離されて指を差し込み前記上蓋部と前壁面部との切り離しを可能とするための切り込み線を形成したことを特徴とするものである。
【００１７】
請求項１の考案では、吊り下げ支持体が、前記後壁面部に連設された吊り下げ部と、該吊り下げ部に折り曲げ部を介して連設された折り返し部とからなり、前記吊り下げ支持体の折り返し部の先端が箱本体に差し込まれる差込部を構成しており、該差込部を切り欠くことによって押え部が形成されており、前記上蓋部に延長片が連設されており、前記折り返し部の差込部が箱本体に差し込まれるとともに、延長片が上蓋部から折り曲げられて吊り下げ支持体の吊り下げ部と折り返し部との間に挟まれた状態で、折り返し部の押え部が延長片の基部を押えるよう構成したことにより、上蓋部が容易にかつ確実に押えられて浮き上がったり箱本体の後壁部や吊り下げ支持体から離れて隙間が生じることがないため、箱本体内への異物の進入が確実に防止される。また、吊り下げ支持体が吊り下げ部と折り返し部とからなるため、吊り下げ支持部材に吊り下げられる吊り下げ支持体が丈夫な構造となる。
請求項２の考案では、請求項１に記載の考案において、前記吊り下げ支持体に形成された吊り下げ支持部材に吊り下げられる係合部と対応して、前記延長片に係合部を形成したことにより、この延長片と吊り下げ支持体の吊り下げ部および折り返し部に荷重が分散されるため、包装用箱が丈夫な構造となる。
請求項３の考案では、請求項２に記載の考案において、前記延長片に連設された背面部と、前記吊り下げ支持体の少なくとも吊り下げ部に穿設されて前記背面部を通す通し部と、をさらに備え、前記吊り下げ支持体および前記延長片に形成された吊り下げ支持部材に吊り下げられる係合部と対応して、前記背面部に係合部を形成したことにより、この背面部、延長片、吊り下げ支持体の吊り下げ部および折り返し部に荷重が分散されるため、さらに包装用箱が丈夫な構造となる。なお、延長片に連設された背面部を通すための通し部は、吊り下げ部の折り返し部近傍に穿設して吊り下げ支持体の係合部よりも上方に配置することが望ましい。
請求項４の考案では、請求項３に記載の考案において、前記背面部を吊り下げ部の背面に接着したことにより、吊り下げ支持体の吊り下げ部と折り返し部との間に挟まれた延長片が確実に折り返し部の押え部によって押えられ、また、背面部が吊り下げ部の背面から離れることがないために、箱本体内への異物の進入がさらに確実に防止されるとともに、見栄えがよい。
請求項５の考案では、請求項１に記載の考案において、前記上蓋部と前壁面部とを切り離し可能としたことにより、容易に上蓋部を開封することが可能となる。
請求項６の考案では、請求項２に記載の考案において、前記上蓋部と前壁面部とを切り離し可能としたことにより、容易に上蓋部を開封することが可能となる。
請求項７の考案では、請求項３に記載の考案において、前記上蓋部と前壁面部とを切り離し可能としたことにより、容易に上蓋部を開封することが可能となる。
請求項８の考案では、請求項４に記載の考案において、前記上蓋部と前壁面部とを切り離し可能としたことにより、容易に上蓋部を開封することが可能となる。
請求項９の考案では、請求項５〜８のいずれかに記載の考案において、前記前壁面部の上方に、押圧することにより切り離されて指を差し込み前記上蓋部と前壁面部との切り離しを可能とするための切り込み線を形成したことにより、上蓋部を開封する際に前壁面部の上方を指で押圧して切り込み線を破断し指を差し込んで上蓋部を引き上げると、前記上蓋部と前壁面部との折り曲げ部をさらに容易に切り離して開封することが可能となる。
【考案の効果】
【００１８】
請求項１の考案によれば、吊り下げ支持体が、前記後壁面部に連設された吊り下げ部と、該吊り下げ部に折り曲げ部を介して連設された折り返し部とからなり、前記吊り下げ支持体の折り返し部の先端が箱本体に差し込まれる差込部を構成しており、該差込部を切り欠くことによって押え部が形成されており、前記上蓋部に延長片が連設されており、折り返し部の差込部が箱本体に差し込まれるとともに、延長片が上蓋部から折り曲げられて吊り下げ支持体の吊り下げ部と折り返し部との間に挟まれた状態で、折り返し部の押え部が延長片の基部を押えるよう構成したことにより、上蓋部が容易にかつ確実に押えられて浮き上がったり箱本体の後壁部や吊り下げ支持体から離れて隙間が生じることがないため、箱本体内への異物の進入を確実に防止することができる包装用箱を提供することができる。また、吊り下げ支持体が吊り下げ部と折り返し部とからなるため、吊り下げ支持部材に吊り下げられる吊り下げ支持体が丈夫な構造の包装用箱を提供することができる。
請求項２の考案によれば、請求項１に記載の考案において、前記吊り下げ支持体に形成された吊り下げ支持部材に吊り下げられる係合部と対応して、前記延長片に係合部を形成したことにより、この延長片と吊り下げ支持体の吊り下げ部および折り返し部に荷重が分散されるため、丈夫な構造の包装用箱を提供することができる。
請求項３の考案によれば、請求項２に記載の考案において、前記延長片に連設された背面部と、前記吊り下げ支持体の少なくとも吊り下げ部に穿設されて前記背面部を通す通し部と、をさらに備え、前記吊り下げ支持体および前記延長片に形成された吊り下げ支持部材に吊り下げられる係合部と対応して、前記背面部に係合部を形成したことにより、この背面部、延長片、吊り下げ支持体の吊り下げ部および折り返し部に荷重が分散されるため、さらに丈夫な構造の包装用箱を提供することができる。
請求項４の考案によれば、請求項３に記載の考案において、前記背面部を吊り下げ部の背面に接着したことにより、吊り下げ支持体の吊り下げ部と折り返し部との間に挟まれた延長片が確実に折り返し部の押え部によって押えられ、また、背面部が吊り下げ部の背面から離れることがないために、箱本体内への異物の進入をさらに確実に防止することができるとともに、見栄えがよい包装用箱を提供することができる。
請求項５の考案によれば、請求項１に記載の考案において、前記上蓋部と前壁面部とを切り離し可能としたことにより、容易に上蓋部を開封することが可能な包装用箱を提供することができる。
請求項６の考案によれば、請求項２に記載の考案において、前記上蓋部と前壁面部とを切り離し可能としたことにより、容易に上蓋部を開封することが可能な包装用箱を提供することができる。
請求項７の考案によれば、請求項３に記載の考案において、前記上蓋部と前壁面部とを切り離し可能としたことにより、容易に上蓋部を開封することが可能な包装用箱を提供することができる。
請求項８の考案によれば、請求項４に記載の考案において、前記上蓋部と前壁面部とを切り離し可能としたことにより、容易に上蓋部を開封することが可能な包装用箱を提供することができる。
請求項９の考案によれば、請求項５〜８のいずれかに記載の考案において、前記前壁面部の上方に、押圧することにより切り離されて指を差し込み前記上蓋部と前壁面部との切り離しを可能とするための切り込み線を形成したことにより、前記上蓋部と前壁面部との折り曲げ部をさらに容易に切り離して開封することが可能な包装用箱を提供することができる。
【考案を実施するための最良の形態】
【００１９】
本考案の包装用箱の第１の実施の形態を図１〜図４に基づいて詳細に説明する。なお、同一符号は、同様または相当する部分を示すものとする。
本考案の包装用箱は、概略、被包装物を収容する箱本体１と、フックなどの吊り下げ支持部材４に吊り下げられる吊り下げ支持体２と、を有しており、箱本体１は、少なくとも前壁面部１１と後壁面部１３と上蓋部１６とを有し、上蓋部１６が前壁面部１１に連設されるとともに、吊り下げ支持体２が後壁面部１３に連設されてなる包装用箱であって、吊り下げ支持体２が、後壁面部１３に連設された吊り下げ部２０と、この吊り下げ部２０に折り曲げ部２２を介して連設された折り返し部２１とからなり、吊り下げ支持体２の折り返し部２１の先端が箱本体に差し込まれる差込部２３を構成しており、この差込部２３を切り欠くことによって押え部２４が形成されており、上蓋部１６に延長片２５が連設されており、折り返し部２１の先端の差込部２３が箱本体１に差し込まれるとともに、延長片２５が上蓋部１６に対して折り曲げられて吊り下げ支持体２の吊り下げ部２０と折り返し部２１との間に挟まれた状態で、折り返し部２１の押え部２４が延長片２５の基部を押えるよう構成したものである。
【００２０】
この実施の形態における包装用箱は、紙などのシート状素材を打ち抜くことなどによって所定形状の箱形成シート材Ｓを一体で形成し、この箱形成シート材Ｓを後述する各折り曲げ線（図１では鎖線で示した）で折り曲げると共に所定箇所１４と１０を接着することにより、組立て構成されている。
【００２１】
図１に展開図で示すように、箱形成シート材Ｓは、箱本体１を構成する少なくとも４壁面部、すなわち、側壁面部１０、前壁面部１１、側壁面部１２、後壁面部１３と、接合部１４が、折り曲げ線３０、３１、３２、３３を介して図１の左右方向に連続して順次形成されている。両側壁面１０、１２の上方には、折り曲げ線３４を介してフラップ２６が連続するよう形成されている。前壁面部１１の上方には上蓋部１６が折り曲げ線３６を介して連続するよう形成されている。また、両側壁面部１０、１２の下方には、折り曲げ線３５を介してそれぞれ底板１７が連続するよう形成されるとともに、前壁面部１１と後壁面部１３の下方には、折り曲げ線３７を介して底板１８、１９がそれぞれ連続するよう形成されている。底板１７、１７、１８、１９を組み合わせることにより、底壁部１５が構成される。上蓋部１６の先端には折り曲げ線３９を介して差込片２７が形成されている。差込片２７の中央には、切り込み４０を入れることにより延長片２５が折り曲げ線４１を介して上蓋部１６から連続するよう構成されている。
【００２２】
後壁部の上方には吊り下げ部２０と、この吊り下げ部２０に折り曲げ線２２を介して折り返し部２１が連続するよう形成されている。吊り下げ部２０と折り返し部２１には、フックなどの吊り下げ支持部材４と係合される係合部５、５が、折り曲げ線２２で折り曲げたときに対応するように形成されている。なお、図示した実施の形態における係合部５は、円形の透孔を穿設することにより構成されているが、これに限定されることなく、他の形状の透孔や、一端が開放されたカギ状に形成することもできる。折り返し部２１の先端は、折り曲げ線２２で折り曲げたときに後壁部１３に沿って箱本体１内に差し込まれる差込部２３を構成している。そして、差込部２３のほぼ中央には、延長片２５と対応するように切り欠くことにより、押え部２４が構成されている。
【００２３】
このように成形された箱形成シート材Ｓでは、各折り曲げ線３０〜３３で側壁面部１０、前壁面部１１、側壁面部１２、後壁面部１３、接合片１４をそれぞれ互いに折り曲げ、接合片１４の表面と側壁面部１０の裏面とを接着剤などよって接着する。また、側壁面部１０、前壁面部１１、側壁面部１２、後壁面部１３に対して各折り曲げ線３５、３７、３８で底板１７、１８、１７、１９をそれぞれ折り曲げ、組み合わせることによって底壁部１５を形成し、箱本体１を構成する。この後、被包装物を箱本体１内に収容する。そして、側壁面部１０、１２に対してフラップ２６を折り曲げ線３４で折り曲げ、前壁面部１１に対して上蓋部１６を折り曲げ線３６で折り曲げるとともに、上蓋部１６に対して差込片２７を折り曲げ線３９で折り曲げて、差込片２７を後壁面部１３に沿って差し込み、箱本体１を構成する。このとき、延長片２５は折り曲げ線４１で差込片２７と反対方向に折り曲げられ、吊り下げ支持体２の吊り下げ部２０に沿って位置させる。その後、吊り下げ支持体２の折り曲げ線２２で吊り下げ部２０に対して折り返し部２１を折り返すように折り曲げて差込部２３を差込片２７と後壁面部１３の間に差し込むだけで、図４に示すように、延長片２５が吊り下げ支持体２の吊り下げ部２０と折り返し部２１との間に挟まれた状態となり、延長片２５の基部である折り曲げ線４１が押さえ部２４によって確実かつ容易に押えられることとなる。そのため、上蓋部１６浮き上がることがなく、また、上蓋部の差込片２７が折り返し部２１から離れて隙間を形成するようなことがなくなる。したがって、吊り下げ支持体２の透孔５、５に吊り下げ支持部材４を挿通して箱本体１を吊り下げた場合であっても、箱本体１の見栄えがよく、しかも、箱本体１内に異物が進入するのを確実に防止することができる。
【００２４】
次に、本考案の包装用箱の第２の実施の形態を図５〜図８に基づいて詳細に説明する。なお、上述した実施の形態と同様または相当する部分については、同じ符号を付してその説明を省略し、異なる部分のみ説明することとする。
この実施の形態における包装用箱は、延長片２５が上述した実施の形態と比較して長く形成されており、吊り下げ支持体２の吊り下げ支持部材４と係合される透孔５、５と対応して、延長片２５にも係合部６が形成されている。
【００２５】
図５に示すように、延長片２５は差込片２７とほぼ同じ長さに形成されている。延長片２５には係合部となる透孔６が、吊り下げ支持体２の吊り下げ部２０と折り返し部２１との間に挟まれた状態で、透孔５、５と一致するように形成されている。
このように構成された包装用箱では、上述した第１の実施の形態と同様に、延長片２５が吊り下げ支持体２の吊り下げ部２０と折り返し部２１との間に挟まれた状態で、延長片２５の基部である折り曲げ線４１が押さえ部２４によって押えられるため、上蓋部１６浮き上がることがなく、また、上蓋部の差込片２７が折り返し部２１から離れて隙間を形成するようなことがなくなる。そのため、箱本体１の見栄えがよく、しかも、箱本体１内に異物が進入するのを確実に防止することができることは、上述した実施の形態と同様である。そして、この実施の形態では、図８に示すように、吊り下げ部２０と折り返し部２１の透孔５、５に加えて、延長片２５の透孔６にも吊り下げ支持部材４を挿通して箱本体１を吊り下げるため、箱本体１に収容された被包装物による荷重が吊り下げ支持体２の吊り下げ部２０および折り返し部２１の透孔５、５と延長片２５の透孔６とに分散されるため、孔が拡大したり裂けたりすることがなく、包装用箱が丈夫な構造となる。
【００２６】
次に、本考案の包装用箱の第３の実施の形態を図９〜図１２に基づいて詳細に説明する。なお、上述した第１および第２の実施の形態と同様または相当する部分については、同じ符号を付してその説明を省略し、異なる部分のみ説明することとする。
この実施の形態における包装用箱は、さらに延長片２５が延ばされて折り曲げ線４２を介して背面部２８が形成され、吊り下げ支持体２には背面部２８を通す通し部４３が穿設されており、吊り下げ支持体２の吊り下げ部２０および折り返し部２１の透孔５、５と延長片２５の透孔６と対応して、吊り下げ支持部材４と係合される係合部としての透孔７が形成されている。
【００２７】
通し部４３は、この実施の形態では、吊り下げ部２０と折り返し部２１の間にわたって、折り曲げ線２２を挟んで対称に形成されている。これにより、吊り下げ部２０に対して折り曲げ線２２で折り返し部２１を折り曲げていない状態では、通し部４３が大きく開口しており、通し部４３に背面部２８を容易に通すことができ、しかも、吊り下げ部２０に対して折り曲げ線２２で折り返し部２１を折り曲げた状態では、吊り下げ部２０と折り返し部２１、延長片２５、および背面部２８の透孔５、５、６、７よりも、通し部４３が上方に位置するため、通し部４３を吊り下げ部２０と折り返し部２１の間にわたって大きく開口するよう穿設しても、吊り下げ支持体２の強度に影響することがない。
このように構成された包装用箱では、吊り下げ支持体２の折り曲げ線２２で吊り下げ部２０に対して折り返し部２１を折り返すように折り曲げるときに、通し部４３に背面部２８を通し、延長片２５に対して折り曲げ線４２で背面部２８を折り曲げて吊り下げ部２０の背面に沿うように位置させておく。なお、この場合、背面部２８と吊り下げ部２０の背面とを接着剤により接着することもできる。背面部２８は、延長２５の先端に形成されているため、その面積は小さく、したがって、接着剤を塗布する面積も小さくて済む。そして、吊り下げ支持体２の折り曲げ線２２で吊り下げ部２０に対して折り返し部２１を折り返すように折り曲げて差込部２３を差込片２７と後壁面部１３の間に差し込むと、図１２に示すように、延長片２５が吊り下げ支持体２の吊り下げ部２０と折り返し部２１との間に挟まれた状態となり、延長片２５の基部である折り曲げ線４１が押さえ部２４によって押えられることとなる。そのため、上蓋部１６浮き上がることがなく、また、上蓋部の差込片２７が折り返し部２１から離れて隙間を形成するようなことがなくなる。そのため、箱本体１の見栄えがよく、しかも、箱本体１内に異物が進入するのを確実に防止することができることは、上述した実施の形態と同様である。そして、この実施の形態では、図１２に示すように、吊り下げ部２０と折り返し部２１の透孔５、５と延長片２５の透孔６に加えて、背面部２８の透孔７にも吊り下げ支持部材４を挿通して箱本体１を吊り下げるため、箱本体１に収容された被包装物による荷重が吊り下げ支持体２の吊り下げ部２０および折り返し部２１の透孔５、５と延長片２５の透孔６とにさらに分散されるため、孔が拡大したり裂けたりすることがなく、包装用箱がより丈夫な構造となる。
【００２８】
次に、本考案の包装用箱の第４の実施の形態を図１３に基づいて詳細に説明する。なお、上述した第１〜第３の実施の形態と同様または相当する部分については、同じ符号を付してその説明を省略し、異なる部分のみ説明することとする。
この実施の形態における包装用箱は、さらに、上蓋部１６と前壁面部１１との間の少なくとも一部を、折り曲げ線３６に換えてミシン目４４を形成して、切り離し可能としたものである。
【００２９】
この実施の形態においては、上蓋部１６と前壁面部１１との全幅にわたってミシン目４４が形成されている。
このように構成された包装用箱では、箱本体１内に収容された被包装物を取り出す際に、ミシン目４４を切ることによって容易に開封することができる。
【００３０】
次に、本考案の包装用箱の第５の実施の形態を図１４および図１５に基づいて詳細に説明する。なお、上述した第１〜第４の実施の形態と同様または相当する部分については、同じ符号を付してその説明を省略し、異なる部分のみ説明することとする。
この実施の形態における包装用箱は、第４の実施の形態に加えて、前壁面部１１の上方に、押圧することにより切り離されて指を差し込む部分（押し込み部分と称する）１１ａを形成するためのミシン目４５を形成し、上蓋部１６と前壁面部１１との間の押し込み部分１１ａと対応する部分に折り曲げ線３６を形成するとともに、他の部分にミシン目４４を形成したものである。この実施の形態においては、押し込み部分１１ａが幅方向の中央に形成されている。
【００３１】
このように構成された包装用箱では、箱本体１内に収容された被包装物を取り出す際に、押し込み部分１１ａを指で押圧してミシン目４５を切り離し、指を箱本体１内に差し入れて上方に引き上げると、ミシン目４４が容易に切り離されて開封される。
【図面の簡単な説明】
【００３２】
【図１】本考案の包装用箱の第１の実施の形態を説明するために示す箱形成シート材の展開図である。
【図２】図１の箱形成シート材を組立てた包装用箱の正面図である。
【図３】図２の背面図である。
【図４】図２のＡ−Ａ線拡大断面図である。
【図５】本考案の包装用箱の第２の実施の形態を説明するために示す箱形成シート材の展開図である。
【図６】図５の箱形成シート材を組立てた包装用箱の正面図である
【図７】図６の背面図である。
【図８】図６のＢ−Ｂ線拡大断面図である。
【図９】本考案の包装用箱の第３の実施の形態を説明するための箱形成シート材の展開図である。
【図１０】図９に示した箱形成シート材を組立てた包装用箱の正面図である。
【図１１】図１０の背面図である。
【図１２】図１０のＣ−Ｃ線拡大断面図である。
【図１３】本考案の包装用箱の第４の実施の形態を説明するための箱形成シート材の展開図である。
【図１４】本考案の包装用箱の第５の実施の形態を説明するための箱形成シート材を示す展開図である。
【図１５】図１４に示した箱形成シート材を組立てた包装用箱の正面図である。
【符号の説明】
【００３３】
Ｓ：箱形成シート材、  １：箱本体、  ２：吊り下げ支持体、  ４：吊り下げ支持部材、  ５：吊り下げ支持体の透孔（係合手段）、  ６：延長片の透孔（係合手段）、  ７：背面部の透孔（係合手段）、  １１：前壁面部、  １３：後壁面部、  １６：上蓋部、  ２０：吊り下げ部、  ２１：折り返し部、  ２３：差込部、  ２４：押え部、  ２５：延長片、２８：背面部、  ４３：通し部
【図１】
0003116102.tif 000003
【図２】
0003116102.tif 000004
【図３】
0003116102.tif 000005
【図４】
0003116102.tif 000006
【図５】
0003116102.tif 000007
【図６】
0003116102.tif 000008
【図７】
0003116102.tif 000009
【図８】
0003116102.tif 000010
【図９】
0003116102.tif 000011
【図１０】
0003116102.tif 000012
【図１１】
0003116102.tif 000013
【図１２】
0003116102.tif 000014
【図１３】
0003116102.tif 000015
【図１４】
0003116102.tif 000016
【図１５】
0003116102.tif 000017